(57)【特許請求の範囲】
【請求項１】
高圧ホースの先端にノズルを設け、該ノズルの先端に自在ガイドを連結し、前記ノズルに穿設された複数の噴射孔から噴射媒体を噴射させ、前記高圧ホースを回転させつつ該高圧ホースを排水管内に送り出し、前記ノズルを管の内周面に沿って螺旋状に旋回させながら、前記ノズルから噴射する噴射媒体によって管内を洗浄する排水管洗浄方法において、
前記複数の噴射孔は、径の大きい特定の噴射孔と、該特定の噴射孔より径を小さくした複数の他の噴射孔とを有し、
前記特定の噴射孔の中心軸線Ｉと前記ノズルの中心軸線Ｈとが交わる角度α、および他の噴射孔の中心軸線Ｊと前記ノズルの中心軸線Ｈとが交わる角度βをそれぞれ９０度に設定するとともに、
前記複数の噴射孔の形成位置および各噴射孔から噴射される噴射媒体の噴射量を調整し、
前記他の噴射孔から噴射される各噴射媒体の噴射圧力の各分力によって、前記特定の噴射孔のみを常時管内周面に押し付けるようにしたことを特徴とする排水管洗浄方法。
【請求項２】
前記ノズルと前記高圧ホースは圧着ソケットを介して直接連結されていることを特徴とする請求項(1)記載の排水管洗浄方法。
【請求項３】
前記高圧ホースの表面には、その長手方向に沿って前記特定の噴射孔の位置を示す基準ラインが形成されていることを特徴とする請求項(1)記載の排水管洗浄方法。
【請求項４】
前記噴射媒体は水または温水であることを特徴とする請求項(1)記載の排水管洗浄方法。
【請求項５】
前記噴射媒体を液体と気体との混合体により構成することを特徴とする請求項(1)〜(3)のいずれか一項に記載の排水管洗浄方法。
【請求項６】
前記液体は水または温水であり、前記気体は空気であることを特徴とする請求項(5)記載の排水管洗浄方法。
【請求項７】
高圧ホースの先端にノズルを設け、該ノズルの先端に自在ガイドを連結し、前記ノズルに穿設された複数の噴射孔から噴射媒体を噴射させ、前記高圧ホースを回転させつつ該高圧ホースを排水管内に送り出し、前記ノズルを管の内周面に沿って螺旋状に旋回させながら、前記ノズルから噴射する噴射媒体によって管内を洗浄する排水管洗浄装置において、
前記複数の噴射孔は、径の大きい特定の噴射孔と、該特定の噴射孔より径を小さくした複数の他の噴射孔とを有し、
前記特定の噴射孔の中心軸線Ｉと前記ノズルの中心軸線Ｈとが交わる角度α、および他の噴射孔の中心軸線Ｊと前記ノズルの中心軸線Ｈとが交わる角度βをそれぞれ９０度に設定するとともに、
前記複数の噴射孔の形成位置および各噴射孔から噴射される噴射媒体の噴射量を調整し、
前記他の噴射孔から噴射される各噴射媒体の噴射圧力の各分力によって、前記特定の噴射孔のみを常時管内周面に押し付けるようにしたことを特徴とする排水管洗浄装置。
【請求項８】
前記ノズルと前記高圧ホースは圧着ソケットを介して直接連結されていることを特徴とする請求項(7)記載の排水管洗浄装置。
【請求項９】
前記高圧ホースの表面には、その長手方向に沿って前記特定の噴射孔の位置を示す基準ラインが形成されていることを特徴とする請求項(7)記載の排水管洗浄装置。
【請求項１０】
前記噴射媒体は水または温水であることを特徴とする請求項(7)記載の排水管洗浄装置。
【請求項１１】
前記噴射媒体を液体と気体との混合体により構成することを特徴とする請求項(7)〜(9)のいずれか一項に記載の排水管洗浄装置。
【請求項１２】
前記液体は水または温水であり、前記気体は空気であることを特徴とする請求項(11)記載の排水管洗浄装置。
【発明の詳細な説明】
【０００１】
【発明の属する技術分野】
この発明は、マンション、ビル等に配設された排水管等の配管設備を洗浄する排水管洗浄方法及び装置の改良に関する。
【０００２】
【従来の技術】
配管設備の洗浄に使用する従来の高圧ホース先端に配設されたヘッド部は、高圧水を進行方向対し斜め後方に放射状に憤出するための噴射孔が円周方向に沿って所定のピッチで複数個穿設されたノズルと、該ノズルの先端に連設された自在ガイドとから構成されている。
【０００３】
このような高圧ホースは、日本国実開昭５５一２０３８０号公報、実公昭４９−３７４０３号公報に示されるように、回転ドラム内に収納され、この回転ドラムを回転することによって高圧ホースに対し回転を与えるようにしている。
【０００４】
一方、上述した高圧ホース先端に連設されたノズルには、日本国特開昭５４−１１０６５８号公報に示されるように、該ノズルから噴射される高圧水による推進力及び回転ドラムからの高圧ホースの引き出し動作によって排水管内を回転しつつ進行し、これにより管内周面の洗浄を行っている。
【０００５】
【発明が解決しようとする課題】
ところで、上述した洗浄対象の排水管としては大きく別けて縦管と横管があるが、上述した従来の排水管洗浄装置によると、縦管内で高圧ホースを回転させ、これにより該高圧ホース先端に連結したノズルを回転させると、ノズルは縦管の内周面に沿って旋回する。
【０００６】
この状態で回転ドラムから高圧ホースを少しづつ引き出して縦管内に送り込むと、ノズルは縦管内周面に沿って螺旋状に旋回しつつ前進し、縦管の内周面に付着した固形物をノズルから噴射された高圧水により粉砕除去する。
【０００７】
一方、排水管が横管の場合には、横管内で高圧ホ一スを回転させても、ノズルには管底へ向けて自重が作用するので管内周面に沿って旋回することはない。
【０００８】
従って、排水管が横管の場合に横管内で高圧ホースを回転させ、かつ回転ドラムから高圧ホースを少しづつ引き出して管内に送り込んでも、ノズルは横管の管底に沿って単に直線的に進行するだけで、横管内周面に沿って螺旋状に旋回することはなく、横管内周面のうち特に横管上部の洗浄力が劣る難点がある。
【０００９】
また、ノズルの噴射孔から噴射された高圧水の噴射圧力は管壁から遠くなるほど低下するため、管底から遠い位置にある横管上部に付着している固形物を高圧水により粉砕することは難しく、これを粉砕するためには、より高圧、より大水量を供給する設備が必要とされ、この点においても従来のものは効率良く管内部を均一に洗浄することができなかった。
【００１０】
さらに、上述した従来ノズルは、その斜め後方に噴射された高圧水により推進力を得て自走する構造であるから、例えば管の特定位置を繰り返し洗浄する場合は、いったんノズルを引き戻す必要があるが、その場合ノズルは高圧水の噴射により大きな推進力を得ているので、その引き戻しには大きな力が必要で、事実上困難であった。そこで、従来、管の特定位置を繰り返し洗浄する場合は、高圧水の噴射を一旦停止させた後、ノズルを特定位置の後方まで引き戻し、その後、再び高圧水を斜め後方に噴射させてノズルを自走させ、これにより再び洗浄対象の特定位置を通過させて洗浄するという繁雑な作業が必要であった。
【００１１】
この発明は上述した事情に鑑み、横管内でも管内周面に沿ってノズルを旋回させることができるようにするとともに、管内の特定位置を簡単な操作で繰り返し洗浄することのできる排水管洗浄方法及び装置を提供することを目的とする。
【００１２】
【課題を解決するための手段】
上述した課題を解決するため、この発明では、高圧ホースの先端にノズルを設け、該ノズルの先端に自在ガイドを連結し、前記ノズルに穿設された複数の噴射孔から噴射媒体を噴射させ、前記高圧ホースを回転させつつ該高圧ホースを排水管内に送り出し、前記ノズルを管の内周面に沿って螺旋状に旋回させながら、前記ノズルから噴射する噴射媒体によって管内を洗浄する排水管洗浄方法において、前記複数の噴射孔は、径の大きい特定の噴射孔と、該特定の噴射孔より径を小さくした複数の他の噴射孔とを有し、前記特定の噴射孔の中心軸線Ｉと前記ノズルの中心軸線Ｈとが交わる角度α、および他の噴射孔の中心軸線Ｊと前記ノズルの中心軸線Ｈとが交わる角度βをそれぞれ９０度に設定するとともに、前記複数の噴射孔の形成位置および各噴射孔から噴射される噴射媒体の噴射量を調整し、前記他の噴射孔から噴射される各噴射媒体の噴射圧力の各分力によって、前記特定の噴射孔のみを常時管内周面に押し付けるようにしている。
【００１３】
【発明の実施の形態】
以下、本願発明に係わる排水管洗浄方法及び装置を詳述する。
【００１４】
図１は、本願発明に係わる排水管洗浄方法及び装置に適用されるノズル１を示す高圧ホース先端部の要部破断面図である。
【００１５】
このノズル１は、高圧水を送給するための若干可撓性を有する剛体管、例えばステンレスホースからなる高圧ホース２の先端に圧着ソケット４を介し直接連結している。またこのノズル１の先端には周知の自在ガイド６が連設されている。
なお、この自在ガイド６の詳細については本願出願人が先に提出した特開昭６２−１６３７８９号を参照されたい。
【００１６】
なお、上述したようにノズル１と高圧ホース２を圧着ソケット４を介し直接連結すると、高圧ホース２の連結端２ａとノズル１の先端面１ａとの間の長さＬを短く設定することができるので、排水管の曲り部での高圧ホース２の湾曲性を著しく向上させることができる。
【００１７】
一方、図１のＡＡ断面で示す図２のように、ノズル１の周面には、水あるいは温水からなる高圧水を噴射する４個の噴射孔１０、１１、１２、１３が穿設され、これらの噴射孔１０、１１、１２、１３は図１に示すように、ノズル１の軸穴１ｂ及びホースジョイント３を介して前記ホース２の内部と連通している。
【００１８】
なお、実施例ではこのような噴射孔１０、１１、１２、１３のうち、図２で示すように下方に位置する噴射孔１０の径の大きさを、他の同一径の噴射孔１１、１２、１３の径よりも大きく設定し、これにより噴射孔１０からは他の噴射孔よりも大流量の高圧水が噴射されるようにしている。
【００１９】
また、他の噴射孔１１、１２、１３のうち、噴射孔１２はノズル１の中心Ｏを中心として噴射孔１０と対称な位置に形成され、また噴射孔１１、１３はＯを中心として円周方向に沿って互いに反対方向へ６０度づつ傾斜し、かつ噴射孔１２と中心Ｏを結ぶ線分に対して左右対称な位置に形成されている。
【００２０】
なお、これらの各噴射孔１０、１１、１２、１３の断面積の総和は従来のノズルに形成された複数の噴射孔の断面積の総和と同一に設定されている。
【００２１】
また、図１に示すように、ノズル１の軸穴１ｂの中心軸線Ｈに対する上述した径の大きい噴射孔１０の中心軸線Ｉの傾斜角度はα＝９０度に設定され、他の噴射孔１１、１２、１３の前記ノズル１の軸穴１ｂの中心軸線Ｈに対する中心軸線Ｊの傾斜角度も同様にそれぞれβ＝９０度に設定されている。
【００２２】
即ち、各噴射孔１０、１１、１２、１３の各中心軸線Ｉ、Ｊはノズル１の中心軸線Ｈに対し垂直に形成されている。
【００２３】
なお、このように径の大きい噴射孔１０の傾斜角α度と他の噴射孔１１、１２、１３の傾斜角β度とを同一の９０度に設定し、図３に示すように、横排水管５内において、ノズル１の中心軸線Ｈに対し垂直方向へ各噴射孔１０、１１、１２、１３から各高圧水を噴射すると、ノズル１はその噴射圧力Ｆ１、Ｆ２、Ｆ３、Ｆ４（Ｆ１＞Ｆ２＝Ｆ３＝Ｆ４）及びその分力（後述する）により、径の大きい噴射孔１０のみが管内周面５ａへ押し付けられた状態で、当該横排水管５内で停止した姿勢を維持する。
【００２４】
このようにノズル１の各噴射孔１０、１１、１２、１３からそれぞれ高圧水が噴射されると、図３のＢＢ断面で示す図４のように横排水管５の内周面５ａにはそれぞれ分力Ｆ２´、Ｆ４´が作用する。
【００２５】
その際、ノズル１には横排水管５の内周面５ａからＦ２´、Ｆ４´に対応する反作用が作用するが、その反作用がノズル１が横排水管５の管底５ｂにある場合に、
Ｆ１＜Ｆ２´＋Ｆ３＋Ｆ４´＋ｍｇ…（１）の条件を満たし、
かつ、図４と同一部分を同一符号で示す図５のように、ノズル１が管上５ｃにある場合は、
Ｆ１＜Ｆ２´＋Ｆ３＋Ｆ４´−ｍｇ…（２）の条件を満たすようにそれぞれＦ１、Ｆ２´、Ｆ３、Ｆ４´、ｍｇを設定する、
なお、ｍｇはノズル１に作用する自重、Ｆ２´はＦ２の垂直方向へ向け作用する分力であり、またＦ４´はＦ４の垂直方向へ向け作用する分力である。
【００２６】
また図４、図５で、Ｆ２´´はＦ２の水平方向へ向け作用する分力であり、またＦ４´´はＦ４の水平方向へ向け作用する分力であり、この各水平方向へ向け作用する各分力によって横管５内におけるノズル１の自転が阻止されている。
【００２７】
一方、上述した（１）（２）式を満足するように、Ｆ１、Ｆ２´、Ｆ３、Ｆ４´、ｍｇを設定すると（即ち、複数の噴射孔の形成位置および各噴射孔から噴射される高圧水の噴射水量を調整すると）、図４で示すように、ノズル１が横管５の管底５ｂにある場合は、（１）式の設定条件に基づき、ノズル１はその噴射孔１０のみを管底５ｂに押し付けた姿勢を維持する。
【００２８】
また図５で示すように、ノズル１が横管５の管上５ｃにある場合は、（２）式の設定条件に基づき、ノズル１はその噴射孔１０のみを管上５ｃに押し付けた姿勢を維持する。
【００２９】
上述した各設定条件を満足させると、図４で示すノズル１の姿勢では、径の一番大きい噴射孔１０から噴出される高圧水は、その流量が一番大きく、しかもこの噴射孔１０が横管５の管底５ｂに最も接近するから、この噴射孔１０から噴出される高圧水により横管５の管底５ｂに付着した固形物が効率良く洗浄されることとなる。
【００３０】
なお高圧水として温水を使用した場合はその洗浄効率が一層向上する。
【００３１】
また、図５で示すノズル１の姿勢では、径の一番大きい噴射孔１０から噴出される高圧水は、その流量が一番大きく、しかもこの噴射孔１０が横管５の管上５ｃに最も接近するから、この噴射孔１０から噴出される高圧水により横管５の管上５ｃに付着した固形物も効率良く洗浄されることとなる。
【００３２】
次に、上述した排水管洗浄装置における排水管の洗浄作用を説明し、併せて構成をより詳細に説明する。
【００３３】
図６は本願発明に係わる排水管洗浄装置の作用を示す配管設備の要部断面図である。
【００３４】
ノズル１の後端に連設固定された高圧ホース２は、端末機２０を介して図示せぬ高圧ポンプの排出口に連結している。
【００３５】
この端末機２０は、高圧ポンプから送給される高圧水の開閉を行うハルブの制御、ドラムに巻回した高圧ホース２の繰り出し、高圧ホース２のドラムヘの巻き取り、および高圧ホース２の回転を行う。なおこの端末機２０の詳細は日本国実公昭５６−３６８５６号公報に開示されている。
【００３６】
排水管２１の洗浄は図示せぬ高圧ポンプで加圧した高圧水を、高圧ホース２の先端に取り付けたノズル１の各噴射穴１０、１１、１２、１３（図２）から噴射させることにより行う。
【００３７】
すなわち、ノズル１の中心軸線に対し垂直方向へ向け高圧水を噴射すると、その高圧水は排水管２１の管壁に対し垂直に当たり管内付着物ａを粉砕剥離する。
また、排水管２１の管壁に対し高圧水を垂直に当てるので、このノズル１には、排水管２１の延出方向に沿って推進力は発生せず、その位置に停止した状態を維持する。
【００３８】
したがって、上述したノズル１は手操作又は自動による高圧ホース２の引き出しあるいは引き戻し操作によって、排水管２１の延出方向へ向け前進あるいは後退させることができる。
【００３９】
このような、排水管２１の横管５内におけるノズル１の前進あるいは後退操作の際、図４で示すノズル１の初期位置から、高圧ホース２を端末機２０によって一方向へ回転させると、それに連動して当該ノズル１は矢印のごとく軸穴１ｂを中心に時計方向へ回転する。
【００４０】
そのノズル１の回転の際、各噴射孔１０、１１、１２、１３から噴射される高圧水（Ｆ１、Ｆ２、Ｆ３、Ｆ４）の噴射方向は図７で示すように変化し、これによりノズル１には、噴射孔１０のみを管内周面５ａに押し付けた姿勢を維持したまま矢印Ｇ方向への旋回力が発生する。
【００４１】
このように、ノズル１に、噴射孔１０のみを管内周面５ａに押し付けた姿勢を維持したまま矢印Ｇ方向への旋回力が発生すると、当該ノズル１は図８に示すように、噴射孔１０が常時管内周面５ａと対向する姿勢を維持しつつ横管５内を旋回し、ついには図５で示すように、ノズル１は噴射孔１０を横管５の管上５ｃと対向させた位置に到達する。
【００４２】
なお、この図５で示すように、ノズル１の噴射孔１０を横管５の管上５ｃ対向させた位置に到達した時点で、図６に示す高圧ホース２の回転を停止すれば、ノズル１は、その噴射孔１０を横管５の管上５ｃ対向させた姿勢を維持したままその旋回を停止する。
【００４３】
従って、図５で示すように、ノズル１の噴射孔１０を横管５の管上５ｃ対向させた姿勢を維持したまま旋回を停止させ、その後、手操作又は自動により高圧ホース２を引き出し、または引き戻し操作をすれば、ノズル１の噴射孔１０は横管５の管上５ｃに対向した姿勢を維持したまま管長方向に沿って進行あるいは後退するから、これにより横管５の管上５ｃに付着した管内付着物ａ（図６）のみを、噴射孔１０から噴射される流量が一番大きい高圧水により繰り返し洗浄して、これにより当該管内付着物ａを粉砕剥離させることができることとなる。
【００４４】
すなわち、上述したノズル１は、その中心軸線に対し垂直方向へ向け高圧水を噴射させるせようにして、ノズル１そのものに推進力を発生させないようにしたから、そのその前進および後退は、高圧ホース２の引き出しあるいは引き戻し操作によって行われ、このため排水管２１の特定位置の繰り返し洗浄を高圧ホース２の引き出しあるいは引き戻し操作によって簡単に行うことができる。
【００４５】
さらに、図５で示すノズル１の位置から、高圧ホース２を端末機２０（図６）によって回転させることにより、当該ノズル１をさらに矢印のごとく軸穴１ｂを中心に時計方向へ回転させると、その回転の際に各噴射孔１０、１１、１２、１３から噴射される高圧水（Ｆ１、Ｆ２、Ｆ３、Ｆ４）の噴射方向が図９で示すように再び変化し、これによりノズル１には、噴射孔１０のみを管内周面５ａに押し付けた姿勢を維持したまま矢印Ｇ方向への旋回を開始する。
【００４６】
このように、ノズル１に、噴射孔１０のみを管内周面５ａに押し付けた姿勢を維持したまま矢印Ｇ方向への旋回を開始すると、当該ノズル１は図１０に示すように、噴射孔１０が常時管内周面５ａと対向する姿勢を維持しつつ横管５内を旋回し、ついには図４で示すように、ノズル１は噴射孔１０を横管５の菅底５ｂと対向させた初期位置に復帰する。
【００４７】
従って、図６で示す排水管２１の横管５内では、図１１で示す要部拡大図で示すように、高圧ホース２を端末機２０によって回転させ、かつ、高圧ホース２を引き出し、あるいは引き戻し操作をすることにより、当該ノズル１は噴射量が最も多い、噴射孔１０を管内周面５ａに対向させた姿勢を維持しつつ矢印Ｇ方向へ螺旋状に旋回し、これにより横管５の内周面５ａの特定位置に付着した管内付着物を、噴射される流量が一番大きい高圧水により繰り返し洗浄して効率よく粉砕剥離すこととなる。
【００４８】
また高圧ホース２の回転を停止させてノズル１を一定位置に停止させ、その後、高圧ホース２を引き出し、あるいは引き戻し操作をすることにより、図１２で示すように、当該ノズル１は噴射量が最も多い、噴射孔１０を管内周面５ａに対向させた姿勢を維持しつつ矢印Ｇ´方向へ往復走行させ、これにより横管５の内周面５ａの特定位置に付着した管内付着物を、噴射される流量が一番大きい高圧水により繰り返し洗浄して効率よく粉砕剥離すこともできることとなる。
【００４９】
なお、図示せぬ排水管の縦主管内においても、高圧ホース２を一定の速度で回転し、且つ高圧ホース２をくり出すことでノズル１は管内周面を螺旋状に旋回する。
【００５０】
その際も、噴射量が最も多い噴射孔１０を縦主管の内周面に対向させた姿勢を維持しつつ螺旋状に旋回するので、縦管内においても、ノズル１は効率よく管内付着物を粉砕剥離すこととなる。
【００５１】
また縦管内においても、高圧ホース２の回転を停止させてノズル１を一定位置に停止させ、その後、高圧ホース２を引き出し、あるいは引き戻し操作をすることにより、当該ノズル１は噴射量が最も多い、噴射孔１０を縦管内周面の特定位置に対向させた姿勢を維持しつつ往復走行し、これにより縦管の内周面の特定位置に付着した管内付着物を、噴射される流量が一番大きい高圧水により繰り返し洗浄して効率よく粉砕剥離すこともできることとなる。
【００５２】
なお、図１に示したように、ノズル１と高圧ホース２とを圧着ソケット４を介し直接連結し、これにより高圧ホース２の連結端２ａとノズル１の先端面１ａとの長さＬを短く設定したので、図１３で示すように、排水管２１の曲り部２３では、ノズル１近傍の高圧ホース２の湾曲性、すなわち湾曲する際の曲率半径をより一層小さく設定することができ、これによりノズル１が小径の排水管の曲り部２３をスムーズに通過して、このような小径の排水管の曲り部２３を効率よく洗浄することもできる。
【００５３】
なお、上記実施例では、噴射量が最も多い噴射孔１０を排水管の内周面に常時対向させる姿勢を維持させることができるため、例えば図１４で示すように、ノズル１の噴射孔１０と対応する部分の高圧ホース２周面に、その長手方向に沿って噴射孔１０の位置を示す基準ライン３０を形成し、これにより高圧ホース２０回転させている間に噴射孔１０の位置が、管内周面のどの位置にあるかを確実に知ることができる。
【００５４】
このため、例えば排水管の管上のみを入念に洗浄する場合は、基準ライン３０により噴射孔１０の位置が管上に至った回転位置で、高圧ホース２の回転を停止させ、そこから高圧ホース２を引き出し、また引き戻せば排水管の管上のみを入念に繰り返し洗浄することができることとなる。
【００５５】
なお、上記実施例ではノズル１に高圧水を噴射する４個の噴射孔１０、１１、１２、１３を穿設する場合について詳述したが、全体として前述の（１）、（２）式が満足すればよく、その噴射孔の数、形成位置、あるいは径の大きさ等は実施例に限定されるものではなく、各種の変形が考えられる。
【００５６】
なお、上記実施例ではノズル１の各噴射孔１０、１１、１２、１３から噴射される噴射媒体として水または温水等の液体を使用する場合について詳述したが、この発明は上記実施例に限定されることなく、噴射媒体としては液体と気体の混合体を使用しても良い。
【００５７】
このように、噴射媒体として液体と気体の混合体を使用すると、噴射媒体が排水管に衝突すると、混合された気体が弾けてその洗浄力を一層向上させることができる。
【００５８】
なお、噴射媒体を構成する液体および気体は各種のものを使用することができるが、例えば液体として水または温水を使用し、また気体としては空気を使用することができる。
【００５９】
【発明の効果】
以上説明したように、この発明の排水管洗浄方法及び装置では、高圧ホースの回転、引き出し及び引き戻し操作に伴って、複数の噴射孔のうち、特定の噴射孔のみが常時管内周面と対向するように、ノズルを螺旋状に旋回させるとともに、特定の噴射孔の径を他の噴射孔の径よりも大きく設定し、かつ、該特定の噴射孔の中心軸線Ｉと前記ノズルの中心軸線Ｈとが交わる角度α、および他の噴射孔の中心軸線Ｊと前記ノズルの中心軸線Ｈとが交わる角度βをそれぞれ９０度に設定するようにしたから、ノズルの旋回により管壁周囲のすべての部分に固着した付着物を大径なる特定の噴射孔から噴射される高圧水で効率良く粉砕させることができるだけでなく、大径なる特定の噴射孔を管内周面と対向した姿勢で排水管内の特定位置に停止させることができるから、高圧ホースの引き出しあるいは引き戻し作業という簡単な操作によって横管、縦管にかかわりなく、各種タイプの管内の特定位置を大径なる特定の噴射孔から噴射される高圧水で繰り返し洗浄し、これにより簡単な操作により管内特定位置を入念に洗浄することができる。
【図面の簡単な説明】
【図１】図１は、本願発明に係わるノズルを示す要部破断面図。
【図２】図２は図１のＡＡ断面図。
【図３】図３はノズルを横管内に配設した状態を示す要部破断面図。
【図４】図４は図３のＢＢ断面図。
【図５】図５は本願発明の作用を示す断面図。
【図６】図６は排水管設備を示す要部断面図。
【図７】図７は本願発明の作用を示す断面図。
【図８】図８は本願発明の作用を示す断面図。
【図９】図９は本願発明の作用を示す断面図。
【図１０】図１０は本願発明の作用を示す断面図。
【図１１】図１１は横管内におけるノズルの作用を示す要部破断面図。
【図１２】図12は横管内におけるノズルの作用を示す要部破断面図。
【図１３】図13は排水管の折れ曲り部におけるノズルの作用を示す要部破断面図。
【図１４】図14は特定の噴射孔の位置を示す基準ラインを示す高圧ホースの平面図。
【符号の説明】
１…ノズル
２…高圧ホース
６…自在ガイド
１０、１１、１２、１３…噴射孔
３０…基準ライン
Ｈ、Ｉ、Ｊ…中心軸線
【図１】
0004548635.tif 000002
【図２】
0004548635.tif 000003
【図３】
0004548635.tif 000004
【図４】
0004548635.tif 000005
【図５】
0004548635.tif 000006
【図６】
0004548635.tif 000007
【図７】
0004548635.tif 000008
【図８】
0004548635.tif 000009
【図９】
0004548635.tif 000010
【図１０】
0004548635.tif 000011
【図１１】
0004548635.tif 000012
【図１２】
0004548635.tif 000013
【図１３】
0004548635.tif 000014
【図１４】
0004548635.tif 000015